(57)【特許請求の範囲】
【請求項１】
中心孔（１５）を有するボビン（１６）にコイル（１７）が巻装されて成るとともに通電時に一対の固定接点（２６ａ）に可動接点（１２）を導通させる電磁力を発揮する電磁ソレノイド（１３）と、該電磁ソレノイド（１３）の非通電時に前記固定接点（２６ａ）から前記可動接点（１２）を離反させるばね力を発揮する戻しばね（１４）とを備える電磁スイッチであって、
前記ボビン（１６）の一端部に対向する端壁（１９ｃ）を一端に有して前記電磁ソレノイド（１３）に嵌装される磁性材料製のヨーク主体（１９）に、前記ボビン（１６）の他端部に対向する磁性材料製の端板（２０）が前記ヨーク主体（１９）とともにヨーク（１８）を構成するようにして磁気的に結合され、前記コイル（１７）の両端に連なる一対のコイル用接続端子（２７）ならびに前記固定接点（２６ａ）をそれぞれ一体に有する一対の接点用接続端子（２６）を貫通せしめるとともに前記端板（２０）を前記ボビン（１６）の他端部との間に挟む非磁性材料製のターミナルホルダ（２９）に、前記ヨーク主体（１９）の他端側がかしめ固定され、前記両固定接点（２６ａ）に接離可能な前記可動接点（１２）に可動コア（３８）が連接されるものにおいて、
少なくとも一部が前記中心孔（１５）内に挿入されるとともに前記中心孔（１５）の軸方向中間部で前記可動コア（３８）に対向する固定コア（３９）が前記ヨーク主体（１９）の端壁（１９ｃ）に当接して位置決め固定され、
前記戻しばね（１４）が、前記電磁ソレノイド（１３）の非通電時に前記可動コア（３８）を前記ターミナルホルダ（２９）側に押しつけて位置決めするばね力を発揮するようにして前記固定コア（３９）および前記可動コア（３８）間に介装され、
前記電磁ソレノイド（１３）、前記ヨーク（１８）、前記固定コア（３９）、前記可動コア（３８）および前記戻しばね（１４）が有底筒状のケース（４４）に収容され、
前記ターミナルホルダ（２９）は、前記ケース（４４）の開口端を閉じるようその開口端部の内周面に嵌合されると共に内端面に前記ヨーク主体（１９）の他端を当接させるホルダ主部（２９ａ）と、そのホルダ主部（２９ａ）の外周よりも径方向内方側で該ホルダ主部（２９ａ）の内端面に一体に突設される連結突部（２９ｂ）とを一体に有していて、該連結突部（２９ｂ）に前記ヨーク主体（１９）の他端部がかしめ固定され、
前記ヨーク主体（１９）の端壁（１９ｃ）側に押圧する力を前記ターミナルホルダ（２９）から前記端板（２０）および前記ボビン（１６）に及ぼし得るように、前記連結突部（２９ｂ）の前記端板（２０）との対向面に一体に設けた突部（３４）が、前記かしめ固定によって、該突部（３４）の一部を潰すように該端板（２０）に押し当てられ、
前記ターミナルホルダ（２９）の外面と前記ケース（４４）の開口端部とにより形成されて外方に臨む凹部（４７）にはポッティング剤（４９）が、前記ターミナルホルダ（２９）の外周と前記ケース（４４）との間の間隙ならびに前記ターミナルホルダ（２９）と前記両コイル用接続端子（２７）および前記両接点用接続端子（２６）との各間の間隙を埋めるようにして充填されることを特徴とする電磁スイッチ。
【請求項２】
前記固定コア（３９）が、前記中心孔（１５）内に挿入されて前記可動コア（３８）に対向する棒状部（３９ａ）と、該棒状部（３９ａ）の一端から半径方向外方に張り出すとともに前記ヨーク主体（１９）の端壁（１９ｃ）および前記ボビン（１６）の一端部間に挟まれるフランジ部（３９ｂ）とを一体に有することを特徴とする請求項１記載の電磁スイッチ。
【請求項３】
前記可動コア（３８）および前記固定コア（３９）の対向面には有底の収容穴（４０，４１）が同軸にそれぞれ設けられ、それらの収容穴（４０，４１）に一部を収容せしめるコイル状の前記戻しばね（１４）の両端が両収容穴（４０，４１）の閉塞端に当接されることを特徴とする請求項１または２に記載の電磁スイッチ。
【発明の詳細な説明】
【技術分野】
【０００１】
本発明は、中心孔を有するボビンにコイルが巻装されて成るとともに通電時に一対の固定接点に可動接点を導通させる電磁力を発揮する電磁ソレノイドと、該電磁ソレノイドの非通電時に前記固定接点から前記可動接点を離反させるばね力を発揮する戻しばねとを備える電磁スイッチに関する。
【背景技術】
【０００２】
電磁ソレノイドが備える中心孔内にその軸方向略全長にわたるプランジャが挿入され、電磁ソレノイドの通電によってプランジャを戻しばねのばね力に抗して電磁ソレノイド内に引き込むことで、可動接点を固定接点に導通させるようにした電磁スイッチが、特許文献１によって知られている。
【特許文献１】実公平１−２７５５０号公報
【発明の開示】
【発明が解決しようとする課題】
【０００３】
ところが上記特許文献１で開示されたものでは、電磁スイッチの取付け位置によっては戻しばねのばね力に加えてプランジャ自身の重量を超える強い電磁力でプランジャを引き込む必要があり、それだけ電磁ソレノイドの消費電力が大きくなるとともに電磁スイッチ全体の大型化につながる。
【０００４】
そこで固定接点に対向する可動コアに可動接点を連接せしめ、可動コアを小型化することで電磁ソレノイドが発揮すべき電磁力を小さく設定することが考えられるが、その場合、可動コアおよび固定コア間の寸法管理が重要となる。
【０００５】
本発明は、かかる事情に鑑みてなされたものであり、可動接点に連接されて固定コアに対向する可動コアを小型化して、電磁ソレノイドが発揮すべき電磁力を小さく設定し得るようにした上で、固定コアおよび可動コア間の寸法管理を容易とした電磁スイッチを提供することを目的とする。
【課題を解決するための手段】
【０００６】
上記目的を達成するために、請求項１記載の発明は、中心孔を有するボビンにコイルが巻装されて成るとともに通電時に一対の固定接点に可動接点を導通させる電磁力を発揮する電磁ソレノイドと、該電磁ソレノイドの非通電時に前記固定接点から前記可動接点を離反させるばね力を発揮する戻しばねとを備える電磁スイッチであって、前記ボビンの一端部に対向する端壁を一端に有して前記電磁ソレノイドに嵌装される磁性材料製のヨーク主体に、前記ボビンの他端部に対向する磁性材料製の端板が前記ヨーク主体とともにヨークを構成するようにして磁気的に結合され、前記コイルの両端に連なる一対のコイル用接続端子ならびに前記固定接点をそれぞれ一体に有する一対の接点用接続端子を貫通せしめるとともに前記端板を前記ボビンの他端部との間に挟む非磁性材料製のターミナルホルダに、前記ヨーク主体の他端側がかしめ固定され、前記両固定接点に接離可能な前記可動接点に可動コアが連接されるものにおいて、
少なくとも一部が前記中心孔内に挿入されるとともに前記中心孔の軸方向中間部で前記可動コアに対向する固定コアが前記ヨーク主体の端壁に当接して位置決め固定され、前記戻しばねが、前記電磁ソレノイドの非通電時に前記可動コアを前記ターミナルホルダ側に押しつけて位置決めするばね力を発揮するようにして前記固定コアおよび前記可動コア間に介装され、前記電磁ソレノイド、前記ヨーク、前記固定コア、前記可動コアおよび前記戻しばねが有底筒状のケースに収容され、前記ターミナルホルダは、前記ケースの開口端を閉じるようその開口端部の内周面に嵌合されると共に内端面に前記ヨーク主体の他端を当接させるホルダ主部と、そのホルダ主部の外周よりも径方向内方側で該ホルダ主部の内端面に一体に突設される連結突部とを一体に有していて、該連結突部に前記ヨーク主体の他端部がかしめ固定され、前記ヨーク主体の端壁側に押圧する力を前記ターミナルホルダから前記端板および前記ボビンに及ぼし得るように、前記連結突部の前記端板との対向面に一体に設けた突部が、前記かしめ固定によって、該突部の一部を潰すように該端板に押し当てられ、前記ターミナルホルダの外面と前記ケースの開口端部とにより形成されて外方に臨む凹部にはポッティング剤が、前記ターミナルホルダの外周と前記ケースとの間の間隙ならびに前記ターミナルホルダと前記両コイル用接続端子および前記両接点用接続端子との各間の間隙を埋めるようにして充填されることを特徴とする。
【０００７】
また請求項２記載の発明は、請求項１記載の発明の構成に加えて、前記固定コアが、前記中心孔内に挿入されて前記可動コアに対向する棒状部と、該棒状部の一端から半径方向外方に張り出すとともに前記ヨーク主体の端壁および前記ボビンの一端部間に挟まれるフランジ部とを一体に有することを特徴とする。
【０００８】
また請求項３記載の発明は、請求項１または２に記載の発明の構成に加えて、前記可動コアおよび前記固定コアの対向面には有底の収容穴が同軸にそれぞれ設けられ、それらの収容穴に一部を収容せしめるコイル状の前記戻しばねの両端が両収容穴の閉塞端に当接されることを特徴とする。
【発明の効果】
【０００９】
請求項１記載の発明によれば、固定コアおよび可動コアは、電磁ソレノイドのボビンが備える中心孔の軸方向中間部で対向するものであり、可動コアを小型化することができる。したがって電磁ソレノイドが発揮すべき電磁力を小さく設定し、電磁ソレノイドの消費電力を小さくするとともに電磁スイッチ全体を小型化することができる。しかも固定コアは、ヨーク主体の端壁に当接して位置決め固定され、固定コアとの間に戻しばねが介装される可動コアは、ヨーク主体とともにヨークを構成する端板および電磁ソレノイドを前記端壁との間に挟むターミナルホルダ側に、前記電磁ソレノイドの非通電状態で前記戻しばねによって押しつけられるので、ヨーク主体の端壁およびターミナルホルダ間の寸法管理を行うことで、固定コアおよび可動コア間の寸法管理を容易に行うことができる。またヨーク主体の端壁側に押圧する力をターミナルホルダから前記端板およびボビンに及ぼすようにしてヨーク主体がターミナルホルダにかしめ固定されるので、ボビンすなわちコイルの位置精度が向上する。さらに電磁ソレノイド、ヨーク、固定コア、可動コアおよび戻しばねをケースに収容しつつ、ケース内の防水性を高めることができる。
【００１０】
また請求項２記載の発明によれば、固定コアが備えるフランジ部をヨーク主体の端壁およびボビンの一端部間に挟むことにより、固定コアを安定的に位置決め、固定することができるとともに、ヨーク主体および固定コアの接触面積を大きくすることで磁気回路上有利となる。
【００１１】
さらに請求項３記載の発明によれば、可動コアおよび固定コアにそれぞれ設けられた有底の収容穴に一部をそれぞれ収容せしめたコイル状の戻しばねの両端が両収容穴の閉塞端に当接されるので、戻しばねを固定コアおよび可動コアの外周部間に介装せしめるものに比べると、充分なばね荷重を戻しばねが発揮し得るようにしつつ、可動コアを吸着するための固定コアの吸着面積を大きく設定することができる。
【発明を実施するための最良の形態】
【００１２】
以下、本発明の実施の形態を、添付の図面に示した本発明の一実施例に基づいて説明する。
【００１３】
図１〜図５は本発明の一実施例を示すものであり、図１は電磁スイッチの縦断面図、図２は図１の２−２線断面図、図３はコイルを省略した状態での電磁スイッチの分解斜視図、図４は図１の４−４線断面図、図５は電磁スイッチの全体斜視図である。
【００１４】
先ず図１および図２において、この電磁スイッチは、通電時に一対の固定接点２６ａ，２６ａに可動接点１２を導通させる電磁力を発揮する電磁ソレノイド１３と、該電磁ソレノイド１３の非通電時に前記固定接点２６ａ…から前記可動接点１２を離反させるばね力を発揮する戻しばね１４とを備えており、たとえば車両の始動回路に用いられる。
【００１５】
図３を併せて参照して、電磁ソレノイド１３は、中心孔１５を有する合成樹脂製のボビン１６にコイル１７が巻装されて成るものであり、ボビン１６は、中心孔１５を形成する筒部１６ａと、該筒部１６ａの一端から半径方向外方に張り出す円形の第１鍔部１６ｂと、前記筒部１６ａの他端をわずかに突出させるようにして前記筒部１６ａの他端寄りから半径方向外方に張り出す正方形状の第２鍔部１６ｃとを一体に有しており、第１および第２鍔部１６ｂ，１６ｃ間で前記筒部１６ａにコイル１７が巻装される。
【００１６】
電磁ソレノイド１３はヨーク１８で囲まれるものであり、このヨーク１８は、電磁ソレノイド１３に嵌装される磁性材料製のヨーク主体１９と、該ヨーク主体１９に磁気的に結合される磁性材料製の端板２０とから成る。前記ヨーク主体１９は、前記ボビン１６を両側から挟む第１および第２側壁１９ａ，１９ｂと、第１および第２側壁１９ａ，１９ｂの一端間を連結して前記ボビン１６の一端部すなわち第１鍔部１６ｂに対向する端壁１９ｃとを一体に有して略Ｕ字状に形成される。しかも第１側壁１９ａの他端には両側に突出するかしめ腕部１９ｄ，１９ｄが折り曲げ可能として一体に突設されており、第２側壁１９ｂの他端中央部には、内方に折り曲げることを可能としたかしめ部１９ｅが第２側壁１９ｂの他端との間に矩形の開口部２１を形成するようにして一体に突設される。
【００１７】
また端板２０は、前記ボビン１６を前記端壁１９ｃとの間に挟むように配置されるものであり、前記ボビン１６における筒部１６ａの第２鍔部１６ｃからの突出部を挿通せしめる挿通孔２２を有して平板状に形成され、ボビン１６の第２鍔部１６ｃに当接される。しかも端板２０には、ボビン１６の第２鍔部１６ｃに突設された一対の第１位置決めピン１６ｄ，１６ｄをそれぞれ嵌合せしめる一対の第１位置決め孔２３，２３と、第１位置決めピン１６ｄ…よりも小径にしてボビン１６の第２鍔部１６ｃに突設された一対の第２位置決めピン１６ｅ，１６ｅをそれぞれ嵌合せしめる一対の第２位置決め孔２４，２４とが設けられており、第１位置決め孔２３…に第１位置決めピン１６ｄ…を嵌合し、第２位置決め孔２４…に第２位置決めピン１６ｅ…を嵌合することでヨーク主体１９に対して端板２０を位置決めした状態では、電磁ソレノイド１３に嵌装されているヨーク主体１９が備える両側壁１９ａ，１９ｂの他端側内面に端板２０が接触し、それによりヨーク主体１９および端板２０が磁気的に結合されることになる。
【００１８】
またボビン１６の第２鍔部１６ｃには、ボビン１６に巻装されたコイル１７の両端にそれぞれ接続される一対のコイル用接続端子２７，２７に一体に設けられる嵌合突起２７ａ，２７ａをそれぞれ嵌合、保持するための一対の嵌合保持部１６ｆ，１６ｆが突設されており、第２位置決め孔２４…の両側で前記端板２０には、それらの嵌合保持部１６ｆ…を配置するための切欠き２８，２８が設けられる。
【００１９】
図４を併せて参照して、前記ヨーク主体１９の他端側すなわち両側壁１９ａ，１９ｂの他端部は、前記端板２０を前記ボビン１６の他端部との間に挟む非磁性材料たとえば合成樹脂から成るターミナルホルダ２９にかしめ固定される。このターミナルホルダ２９は、前記ヨーク主体１９における両側壁１９ａ，１９ｂの配列方向を長手方向とした矩形状に形成されるホルダ主部２９ａと、前記ヨーク主体１９における両側壁１９ａ，１９ｂの他端部内面にそれぞれ当接する第１および第２当接面３０，３１を有する連結突部２９ｂとを一体に有する。
【００２０】
前記第１当接面３０の両側で連結突部２９ｂにはヨーク主体１９における第１側壁１９ａの他端両側に突設されたかしめ腕部１９ｄ…を直角に折り曲げるようにそれぞれかしめて係合するための係合凹部３２，３２がそれぞれ設けられ、また第２側壁１９ｂの他端中央部に突設されたかしめ部１９ｅを内方側に折り曲げて係合するための係合凹部３３が、第２当接面３１の中央部に開口するようにして連結突部２９ｂに設けられる。しかも連結突部２９ｂには、複数たとえば３つの突部３４…が前記ヨーク１８の端板２０に当接するようにして突設される。
【００２１】
而してかしめ腕部１９ｄ…をかしめて係合凹部３２…に係合するとともにかしめ部１９ｅをかしめて係合凹部３３に係合することでターミナルホルダ２９がヨーク主体１９の他端側にかしめ固定されるのであるが、このかしめ固定によって、前記突部３４…はそれらの一部を潰すようにして端板２０に押し当てられる。すなわちヨーク主体１９は、該ヨーク主体１９の端壁１９ｃ側に押圧する力をターミナルホルダ２９から前記端板２０および前記ボビン１６に及ぼすようにして前記ターミナルホルダ２９にかしめ固定されることになる。
【００２２】
前記ターミナルホルダ２９の連結突部２９ｂには、端板２０とは反対側に隆起した円弧状の接続部２６ｂ…を有して平行に並ぶ一対の固定接点２６ａ，２６ａが相互間に間隔をあけて位置決め配置されるものであり、それらの固定接点２６ａ，２６ａは、ターミナルホルダ２９を貫通する接点用接続端子２６，２６に一体に設けられる。しかもターミナルホルダ２９がヨーク主体１９の他端側にかしめ固定された状態で、前記ボビン１６の第２鍔部１６ｃから突設された一対ずつの第１および第２位置決めピン１６ｄ…，１６ｅ…の先端が両固定接点２６ａ，２６ａに当接し、これにより両固定接点２６ａ，２６ａが前記連結突部２９ｂに位置決め固定される。
【００２３】
またターミナルホルダ２９を貫通する一対のコイル用接続端子２７，２７は、前記連結突部２９ｂに当接、位置決めされる位置決め部２７ｂ，２７ｂを一体に備えるものであり、前記ボビン１６の第２鍔部１６ｃが備える嵌合保持部１６ｆ…に嵌合、保持される嵌合突起２７ａ…は、前記位置決め部２７ｂ…から突設される。
【００２４】
前記ホルダ主部２９ａおよび連結突部２９ｂには、前記端板２０側に開放した収容凹部３５が、その開口端の一部を前記両固定接点２６ａ，２６ａで塞ぐようにして設けられており、前記両固定接点２６ａ，２６ａの接続部２６ｂ，２６ｂに接離可能な可動接点１２が、その一部を両固定接点２６ａ，２６ａ間から電磁ソレノイド１３側に突出させるようにして前記収容凹部３５に収容される。
【００２５】
而して可動接点１２は、両固定接点２６ａ，２６ａの接続部２６ｂ，２６ｂ間から電磁ソレノイド１３側に突出する有底円筒部１２ａと、該有底円筒部１２ａの開口端から半径方向外方に張り出す鍔部１２ｂとを一体に有するものであり、鍔部１２ｂが両固定接点２６ａ，２６ａの接続部２６ｂ，２６ｂに接触することで両固定接点２６ａ，２６ａが可動接点１２を介して導通し、前記鍔部１２ｂが両固定接点２６ａ，２６ａの接続部２６ｂ，２６ｂから離反することで両固定接点２６ａ，２６ａ間が遮断されることになる。
【００２６】
前記ホルダ主部２９ａには、前記収容凹部３５の閉塞端中央部から突出するガイド突部３６が一体に設けられており、このガイド突部３６は、前記可動接点１２の有底円筒部１２ａ内に挿入される。また有底円筒部１２ａの閉塞端および収容凹部３５の閉塞端間にはガイド突部３６を囲繞するコイル状のばね３７が縮設されており、可動接点１２は、その鍔部１２ｂを両固定接点２６ａ，２６ａの接続部２６ｂ，２６ｂに接触させる側に向けて前記ばね３７により付勢される。しかも前記ばね３７のばね荷重は、戻しばね１４のばね荷重に比べて小さく設定されている。
【００２７】
前記可動接点１２には、可動コア３８が連接されるものであり、該可動コア３８は、前記電磁ソレノイド１３における中心孔１５内に一端側を挿入せしめる棒状の可動コア主部３８ａの他端に半径方向外方に張り出す鍔部３８ｂが一体に設けられてなり、可動コア主部３８ａの他端中央部が、前記可動接点１２が備える有底円筒部１２ａの閉塞端外面に同軸に当接し、それにより可動コア３８が可動接点１２に連接されることになる。
【００２８】
前記中心孔１５内の軸方向中間部で前記可動コア３８には、少なくとも一部が前記中心孔１５内に挿入される固定コア３９が対向するものであり、この固定コア３９は、前記ヨーク主体１９の端壁１９ｃに当接して位置決め固定される。すなわち固定コア３９は、前記中心孔１５内に挿入されて前記可動コア３８に対向する棒状部３９ａと、該棒状部３９ａの一端から半径方向外方に張り出すフランジ部３９ｂとを一体に有しており、フランジ部３９ｂが前記ヨーク主体１９の端壁１９ｃおよび前記ボビン１６の一端部間に挟まれる。
【００２９】
しかも前記可動コア３８および前記固定コア３９の対向面には有底の収容穴４０，４１が同軸にそれぞれ設けられ、コイル状であるとともに前記両収容穴４０，４１に一部を収容せしめる前記戻しばね１４の両端が両収容穴４０，４１の閉塞端に当接される。
【００３０】
而して電磁ソレノイド１３の通電時には、可動コア３８は固定コア３９側に吸引され、ばね３７で付勢された可動接点１２は可動コア３８の移動に追随して両固定接点２６ａ，２６ａの接続部２６ｂ，２６ｂに接触する位置まで移動することなる。また電磁ソレノイド１３の非通電時には、前記戻しばね１４のばね力によって前記可動コア３８は、前記ばね３７のばね力に抗して前記可動接点１２を両固定接点２６ａ，２６ａから離反させる側に押圧するように移動するのであるが、この際、可動接点１２の鍔部１２ｂに当接して可動接点１２の移動を規制する複数の規制突部４２…がガイド突部３６の周囲に配置されるようにして収容凹部３５の閉塞端から突設されており、電磁ソレノイド１３の非通電時に、前記可動コア３８は前記戻しばね１４のばね力により可動接点１２を介してターミナルホルダ２９の規制突部４２…に押しつけられることで位置決めされることになる。
【００３１】
図５を併せて参照して、前記電磁ソレノイド１３、前記ヨーク１８、前記固定コア３９、前記可動コア３８および前記戻しばね１４は、横断面形状を略矩形として非磁性材料たとえば合成樹脂から成る有底筒状のケース４４に収容される。
【００３２】
このケース４４の開口端寄りの部分は、外方に臨む無端状の段部４４ｂを内面に形成する大径筒部４４ａとして形成されており、前記ターミナルホルダ２９のホルダ主部２９ａが、前記段部４４ｂに当接するようにして大径筒部４４ａに嵌合される。しかも大径筒部４４ａの内面の２箇所に設けられる係合凹部４５，４５に、前記ホルダ主部２９ａの外側面に一体に突設される係合爪部４６，４６が弾発係合されるものであり、ケース４４の開口端を閉じるターミナルホルダ２９は該ケース４４に嵌合、固定される。
【００３３】
しかもターミナルホルダ２９のケース４４への嵌合状態で、ターミナルホルダ２９におけるホルダ主部２９ａの外面はケース４４の開口端よりも内方に位置しており、ターミナルホルダ２９は外方に臨む凹部４７を前記ケース４４と協働して形成することになる。
【００３４】
また一対のコイル用接続端子２７…および一対の接点用接続端子２６…は、ターミナルホルダ２９のホルダ主部２９ａから外方に突出されるものであり、相互に平行な一対の固定壁部２９ｃ，２９ｃと、両固定壁部２９ｃ…の両端間に配置される一対の可撓壁部２９ｄ，２９ｄとが、前記両コイル用接続端子２７…および前記両接点用接続端子２６…を囲むようにしてホルダ主部２９ａに一体に突設される。しかも両可撓壁部２９ｄ…を弾発的に撓ませるために、それらの可撓壁部２９ｄ…には矩形状の開口部４８…が設けられる。而して両固定壁部２９ｃ…および両可撓壁部２９ｄ…は、図示しない外部コネクタに嵌合して弾発係合することが可能であり、外部コネクタへの接続状態で前記両コイル用接続端子２７…および両接点用接続端子２６…は、外部コネクタ内の対応する雌型端子にそれぞれ接続される。
【００３５】
而して前記外部コネクタの雌型端子との接続時に、前記両接点用接続端子２６…には、それらの接点用接続端子２６…が一体に有する固定接点２６ａ…をターミナルホルダ２９の連結突部２９ｂから離反させる側の力が作用するが、固定接点２６ａ…には、ボビン１６の第２鍔部１６ｃに突設された一対の第１位置決めピン１６ｄ…および一対の第２位置決めピン１６ｅ…の先端がターミナルホルダ２９と反対側から当接しており、固定接点２６ａ…が連結突部２９ｂから抜け出てしまうことを確実に防止することができる。
【００３６】
さらに前記ターミナルホルダ２９および前記ケース４４によって形成される凹部４７には、ターミナルホルダ２９におけるホルダ主部２９ａの外周と前記ケース４４との間の間隙、ならびに前記ターミナルホルダ２９と前記両コイル用接続端子２７…および前記両接点用接続端子２６…との間の間隙を埋めるようにして、エポキシ樹脂等のポッティング剤４９が充填される。
【００３７】
なおホルダ主部２９ａにおいて、ケース４４とは反対側に臨む面の中央部には、前記収容凹部３５が設けられることによる強度低下を回避すべく隆起部２９ｅが形成されるのであるが、前記ポッティング剤４９は前記隆起部２９ｅを除いて凹部４７に充填される。しかも前記隆起部２９ｅの外周面はテーパ状に形成されており、隆起部２９ｅを上方に向けた姿勢で該隆起部２９ｅの中央部にポッティング剤４９を滴下すると、ポッティング剤４９は隆起部２９ｅの外周面を流下するようにして広がることになり、それにより、凹部４７のうち隆起部２９ｅを除く部分にポッティング剤４９が充填されることになる。
【００３８】
次にこの実施例の作用について説明すると、一対の固定接点２６ａ，２６ａに接離可能な可動接点１２に可動コア３８が連接され、少なくとも一部がボビン１６の中心孔１５内に挿入される固定コア３９が中心孔１５の軸方向中間部で可動コア３８に対向するので、可動コア３８を小型化することができる。これにより電磁ソレノイド１３が発揮すべき電磁力を小さく設定し、電磁ソレノイド１３の消費電力を小さくするとともに電磁スイッチ全体を小型化することができる。
【００３９】
またボビン１６の一端部に対向する端壁１９ｃを一端に有して電磁ソレノイド１３に嵌装されるヨーク主体１９に、ボビン１６の他端部に対向する端板２０がヨーク主体１９とともにヨーク１８を構成するようにして磁気的に結合され、コイル１７の両端に連なる一対のコイル用接続端子２７，２７ならびに固定接点２６ａ…をそれぞれ一体に有する一対の接点用接続端子２６，２６を貫通せしめるとともに端板２０をボビン１６の他端部との間に挟むターミナルホルダ２９に、ヨーク主体１９の他端側がかしめ固定され、固定コア３９がヨーク主体１９の端壁１９ｃに当接して位置決め固定され、戻しばね１４が、電磁ソレノイド１３の非通電時に可動接点１２を介して可動コア３８をターミナルホルダ２９に押しつけて位置決めするばね力を発揮するようにして固定コア３９および可動コア３８間に介装されているので、ヨーク主体１９の端壁１９ｃおよびターミナルホルダ２９間の寸法管理を行うことで、固定コア３９および可動コア３８間の寸法管理を容易に行うことができる。
【００４０】
また固定コア３９は、中心孔１５内に挿入されて可動コア３８に対向する棒状部３９ａと、該棒状部３９ａの一端から半径方向外方に張り出すとともにヨーク主体１９の端壁１９ｃおよびボビン１６の一端部間に挟まれるフランジ部３９ｂとを一体に有するものであり、フランジ部３９ｂをヨーク主体１９の端壁１９ｃおよびボビン１６の一端部間に挟むことにより、固定コア３９を安定的に位置決め、固定することができるとともに、ヨーク主体１９および固定コア３９の接触面積を大きくすることで磁気回路上有利となる。
【００４１】
またヨーク主体１９は、ヨーク主体１９の端壁１９ｃ側に押圧する力をターミナルホルダ２９から端板２０およびボビン１６に及ぼすようにしてターミナルホルダ２９にかしめ固定されるので、ボビン１６すなわちコイル１７の位置精度が向上する。
【００４２】
また可動コア３８および固定コア３９の対向面には有底の収容穴４０，４１が同軸にそれぞれ設けられ、それらの収容穴４０，４１に一部を収容せしめるコイル状の戻しばね１４の両端が両収容穴４０，４１の閉塞端に当接されるので、戻しばね１４を固定コア３９および可動コア３８の外周部間に介装せしめるものに比べると、充分なばね荷重を戻しばね１４が発揮し得るようにしつつ、可動コア３８を吸着するための固定コア３９の吸着面積を大きく設定することができる。
【００４３】
さらに電磁ソレノイド１３、ヨーク１８、固定コア３９、可動コア３８および戻しばね１４が有底筒状のケース４４に収容され、該ケース４４の開口端を閉じるターミナルホルダ２９が外方に臨む凹部４７を前記ケース４４と協働して形成するようにしてケース４４に嵌合、固定され、少なくともターミナルホルダ２９の外周とケース４４との間の間隙ならびにターミナルホルダ２９と両コイル用接続端子２７…および両接点用接続端子２６…との間の間隙を埋めるようにして、凹部４７にポッティング剤４９が充填されるので、電磁ソレノイド１３、ヨーク１８、固定コア３９、可動コア３８および戻しばね１４をケース４４に収容しつつ、ケース４４内の防水性を高めることができる。
【００４４】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００４５】
【図１】電磁スイッチの縦断面図である。
【図２】図１の２−２線断面図である。
【図３】コイルを省略した状態での電磁スイッチの分解斜視図である。
【図４】図１の４−４線断面図である。
【図５】電磁スイッチの全体斜視図である。
【符号の説明】
【００４６】
１２・・・可動接点
１３・・・電磁ソレノイド
１４・・・戻しばね
１５・・・中心孔
１６・・・ボビン
１７・・・コイル
１８・・・ヨーク
１９・・・ヨーク主体
１９ｃ・・端壁
２０・・・端板
２６・・・接点用接続端子
２６ａ・・固定接点
２７・・・コイル用接続端子
２９・・・ターミナルホルダ
２９ａ・・ホルダ主部
２９ｂ・・連結突部
３４・・・突部
３８・・・可動コア
３９・・・固定コア
３９ａ・・棒状部
３９ｂ・・フランジ部
４０，４１・・収容穴
４４・・・ケース
４７・・・凹部
４９・・・ポッティング剤
【図１】
0004673761.tif 000002
【図２】
0004673761.tif 000003
【図３】
0004673761.tif 000004
【図４】
0004673761.tif 000005
【図５】
0004673761.tif 000006